(57)【要約】      （修正有）【課題】  本発明の目的は、眼鏡着用者と眼鏡を着けていない人が否定的な効果なしに光学観察機器を使用することが可能になるように、光学観察機器の接眼レンズのためのカップを具体化することである。【解決手段】  周壁（３）と周壁（３）によって側面に定められたサイトホール（１９）とを有する光学観察機器の接眼レンズのためのカップにして、  周壁（３）は、接眼レンズへの迷光の入射を防止するために、眼鏡を着けていない人のための第一の折り畳まれていない端位置に動くことができ、また眼鏡着用者のための第二の折り畳まれた端位置に動くことができ、  周壁（３）は、接眼レンズの曇りを防止するために、第一及び第二の端位置の間に位置した眼鏡を着けていない人のための第三の安定通気位置に動くことができる。【選択図】    図１
2005222060.tif 000002
【特許請求の範囲】
【請求項１】
周壁（３）及び当該周壁（３）によって側面に定められたサイトホール（１９）を有する光学観察機器の接眼レンズのためのカップにして、
上記周壁（３）は、
−上記カップを接眼レンズ（２）に接続するための接眼レンズ接続部（４）、
−上記接眼レンズ接続部（４）に隣接する移行部（５）、及び
−上記移行部（５）の一部を介して接眼レンズ接続部（４）と逆側の上記移行部（５）の面に結合した光保護付属部品（６）を含み、
上記周壁（３）は、
−接眼レンズへの迷光の入射を防止するために、眼鏡を着けていない人のための第一の折り畳まれていない端位置に動くことができ、及び
−眼鏡着用者のための第二の折り畳まれた端位置に動くことができるカップにおいて、
上記周壁（３）が、上記接眼レンズの曇りを防止するために、第一及び第二の端位置の間に位置した眼鏡を着けていない人のための第三の安定通気位置に動くことができることを特徴とするカップ。
【請求項２】
請求項１に記載の接眼レンズのカップにおいて、上記周壁（３）が柔軟なプラスチック材料又はゴム材料から成ることを特徴とするカップ。
【請求項３】
請求項１又は２に記載の接眼レンズのカップにおいて、上記第二の折り畳まれた端位置のために、上記周壁（３）が上記移行部（５）の付近で折り畳むことができることを特徴とするカップ。
【請求項４】
請求項１〜３のいずれか一項に記載の接眼レンズのカップにおいて、上記第三の安定通気位置のために、上記周壁（３）が上記光保護付属部品（６）の付近で折り畳むことができることを特徴とするカップ。
【請求項５】
請求項１〜４のいずれか一項に記載の接眼レンズのカップにおいて、上記第三の安定通気位置のために、上記光保護付属部品（６）が、制御された延長部の折り畳み端部（１５）を作るために強化ビード（１４）を有することを特徴とするカップ。
【請求項６】
請求項１に記載の接眼レンズのカップにおいて、自由接触端（９ａ、１５）が上記第三の安定通気位置に存在し、平坦でないことを特徴とするカップ。
【請求項７】
請求項１〜６のいずれか一項に記載の接眼レンズのカップにおいて、接触ビード（１３）が上記周壁（３）の自由端に設けられることを特徴とするカップ。
【請求項８】
請求項１〜７のいずれか一項に記載の接眼レンズのカップにおいて、上記周壁（３）がワンピースで形成されることを特徴とするカップ。
【発明の詳細な説明】
【技術分野】
【０００１】
本発明は、光学的観察機器の接眼レンズ（アイピース）のためのカップに関する。カップは、周壁及び周壁によって側面に定められたサイトホール（のぞき穴）を有する。周壁は、カップを接眼レンズに接続するために接眼レンズ接続部、接眼レンズ接続部に隣接する移行部、及び移行部の一部を介して接眼レンズ接続部と逆側の移行部の面に結合した光保護付属部品を含む。また周壁は、接眼レンズへの迷光の入射を防止するために、眼鏡を着けていない人のための第一の折り畳まれていない端位置に動くことができ、また眼鏡着用者のための第二の折り畳まれた端位置に動くことができる。
【背景技術】
【０００２】
一般タイプの接眼レンズカップは、例えば特許文献１から知られている。眼鏡着用者は接眼レンズの方向にカップを折り畳まなければならない。眼鏡を着けていない人はカップを折り畳む必要はない：彼らは、多くの作業に必要とされる側面の光保護部を利用することができる。眼鏡を着けていない人が、折り畳まれていないカップを有する接眼レンズのカップに接続した光学観察機器を用いる際、接眼レンズのレンズ、カップ及び使用者の顔によって周囲に対してほぼ気密になった空間が作られる。結局、光学観察機器が使用される間、この空間内の温度は徐々に上昇し、レンズが曇ることになる。これは、接眼レンズの使用、従ってそれに接続された光学観察機器の使用にかなり影響を及ぼす。
【０００３】
【特許文献１】DD243126A1
【発明の開示】
【発明が解決しようとする課題】
【０００４】
本発明の目的は、眼鏡着用者と眼鏡を着けていない人が否定的な効果なしに光学観察機器を使用することが可能になるように、光学観察機器の接眼レンズのためのカップを具体化することである。
【課題を解決するための手段】
【０００５】
本発明によれば、この目的は、周壁が、接眼レンズのレンズの曇りを防止するために、第一及び第二の端位置の間に位置する眼鏡を着用していない人のための第三の安定通気位置に動かせることにより達成される。本発明の要点は、この第三の安定通気位置では、使用者の顔、接眼レンズのカップ及び接眼レンズのレンズによって定められる空間と周囲との間で空気が流れるという点にある。この空気の流れは温度の上昇を防止し、従って眼鏡を着用していない人が使用する際に接眼レンズのレンズの曇りを防止する。
【０００６】
本発明の別な実施形態を行う際、周壁が柔軟なプラスチック又はゴム材料から成ることが有利に実施される。これらの材料により、周壁は簡単に対応する位置まで折り畳むことができる。
【０００７】
有利な実施形態によれば、周壁は、第二の折り畳まれた端位置を保障する移行部の付近で折り畳むことができる。その結果、この第二の折り畳まれた端位置において平坦な眼鏡接触端部が作られる。
【０００８】
周壁は、第三の安定通気位置を保障する光保護付属部品の付近で適切に折ることができる。この通気の第三の位置では、周囲と上で述べた空間の間で流れがあり、空間を通気している。
【０００９】
好ましくは、光保護付属部品は、第三の安定通気位置のために作られた制御された延長部の折り畳み端部のために強化ビードを有し、従って折り畳む作業が制御される。
【００１０】
別な有利な実施形態は、第三の安定通気位置に存在し、平坦でない自由接触端部において異なる。
【００１１】
接触ビードは周壁の自由端に有利に設けられる。
【００１２】
ワンピース（一体化）の周壁はかなり利点がある。それは製造するのに低コストになる。
【００１３】
本発明の詳細は、以下の図に則した好ましい例示の実施形態の記述から明らかになるだろう。
【発明を実施するための最良の形態】
【００１４】
図１〜３に見られる接眼レンズのカップ１は光学観察機器の接眼レンズ２に設けられる。光学観察機器は、例えば顕微鏡、双眼鏡又は望遠鏡である。
【００１５】
接眼レンズのカップ１は、柔軟なプラスチック材料又はゴム材料のワンピースの周壁３から成る。周壁３は、接眼レンズのカップ１を接眼レンズ２に接続するために接眼レンズ２に隣接する接眼レンズ接続部４、接眼レンズ接続部４に隣接する移行部５、及び接眼レンズ接続部４と逆側の移行部５の面に接続した光保護付属部品６を含む。光保護付属部品６は、その周囲の部分によってのみ移行部５と接続している。周壁３は、接眼レンズのレンズ（図示せず）の上に位置するサイトホール１９を側面に定める。
【００１６】
接眼レンズ接続部４は、接眼レンズ２に隣接する周壁３の自由下端７から高さＨＯにわたって延び、断面の形が環状である。それはさらに、実質的に一定の外径及び内径を有する。接眼レンズ接続部４は、自由端７から移行部５の方向に延びる吸気穴８を備えている。従って、吸気穴８は接眼レンズ２の上に位置している。空気は外側から吸気穴８を通って入り、接眼レンズ２内に配置されたレンズに空気を導く流れ通路（図示せず）に入り、レンズを曇らせない。流れ通路内の空気の流れは偏向される。これが吸気穴８を通って光が貫通するのを防ぎ、また空気の流れは目に直接当たらないことになる。
【００１７】
移行部５は実質的に一定の高さＨＺを有する。高さＨＺは接眼レンズ接続部４の高さＨＯのほぼ二倍である。移行部５は接眼レンズ接続部４から端部９まで延びる。光保護付属部品６の外側では、端部９が周壁３の自由端９ａを形成する。図１では、点線が光保護付属部品６の付近における移行部５の端部９の延長部を示す。これは、参照番号９ｂが端部９に割り当てられた場所である。移行部５も環状の断面形状を有する。しかしながら、それは円錐状に延びている。これは、移行部５が接眼レンズ接続部４から上方及び外側に延びることを意味する。
【００１８】
光保護付属部品６の外側では、周壁３は高さＨＯとＨＺから成る一定の高さを有する。
【００１９】
移行部５に接続した湾曲した光保護付属部品６は、移行部５の周囲の約半分にわたって延びる。それは端部９ｂから上方及び外側に延びる。光保護付属部品６の高さは光保護付属部品６の二つの側縁部１０から始まって徐々に増加し、二つの縁部１０の間のほぼ中央の点１１で最高値に達する。
【００２０】
その下部自由端７と逆側の周壁３の上部自由端１２は、移行部５の自由端９ａと光保護付属部品６の自由端２０とから成る。使用者の顔に対して位置づけるための接触ビード１３が自由端１２に沿って延びる。接眼レンズ接続部４、移行部５及び光保護付属部品６は、実質的に一様な厚さを有する。
【００２１】
光保護付属部品６の内側では、接触ビード１３に接続した強化ビード１４が設けられる。強化ビード１４は移行部５の端部９の上に、また点１１の下に延びる。強化ビード１４は、第三の安定通気位置のために折り畳み端部１５の方向（コース）を予め決定する；それは自由端７にほぼ平行に延びる。自由端部９も自由端７に平行である。
【００２２】
図１に見られる第一の折り畳まれていない端位置は、眼鏡をかけていない人を意図している。光保護付属部品６は、接眼レンズのレンズへの光の妨害入射を防ぐ。接触の領域では、周壁３は、人間の目の周りの輪郭に一致する構造を有する。接触ビード１３は使用者の顔に適応しなければならない。
【００２３】
図３に見られる第二の折り畳まれた端位置は、眼鏡着用者を意図している。周壁３は移行部５の中で折り畳まれる。使用者の眼鏡のレンズに適応するように折り畳むことにより作られた眼鏡接触端部１６は平坦であり、従って使用者の眼鏡のレンズに適応できる。眼鏡接触端部１６は自由端７と平行である。周壁３は、好ましくは自由端７と端部９の間の高さの半分の所で折り畳まれる。折り畳みを制御するために、移行部５は強化ビード又は軟らかい材料を備え得る。
【００２４】
図２に見られる第三の安定通気位置は、眼鏡を着けていない人を意図している。強化ビード１４は折り畳み端部１５の正確な境界（マーチ、march）を予め決定する。強化ビード１４のために、折り畳み端部１５の境界は、使用者の顔に適用させることから生じる小さな力によって影響を及ぼされない。先に述べたように、折り畳み端部１５は縁部９の上に延びる。従って、眼鏡を着けていない人は通気の位置においても側面の光保護部から利益を得る。通気口が作られ、ほぼ折り畳み端部１５と眼鏡を着けていない人のこめかみの間に延びる。従って、通気口は折り畳み端部１５の付近に延びる。それは、ほぼ接触ビード１３と強化ビード１４が交差する位置にある点１８の間に延びる。自由端９ａは使用者の顔に適応しなければならず、通気の位置では、使用者の顔に適応するように接触端部を構成する。自由端９ａと折り畳み端部１５は互いにほぼ平行である。図２に見られるように、折り畳まれた光保護付属部品６は移行部５の外側に当接する。
【図面の簡単な説明】
【００２５】
【図１】折り畳まれていない端位置に周壁を備えた接眼レンズに固定されたカップの斜視図である。
【図２】通気の位置に周壁を備えた図１に見られる接眼レンズのカップのイラストレーションである。
【図３】第二の折り畳まれた端位置にある周壁を備えた図１及び２に見られる接眼レンズのカップのイラストレーションである。
【符号の説明】
【００２６】
２  接眼レンズ
３  周壁
４  接眼レンズ接続部
５  移行部
６  光保護付属部品
１９  サイトホール
【図１】
2005222060.tif 000003
【図２】
2005222060.tif 000004
【図３】
2005222060.tif 000005